(57)【特許請求の範囲】
【請求項１】
与えられた入力電圧が所定の電圧より大きい場合に、前記入力電圧を所定の電圧でクランプした出力電圧を出力する電圧クランプ回路であって、
前記入力電圧が入力される入力端子に接続される第１抵抗と、
前記第１抵抗で受けた前記入力電圧をクランプするものであり、当該第１抵抗に直列接続されると共にグランドに接続される第１ダイオードと、
前記第１ダイオードにて電圧クランプされた電圧が正入力端子に入力される第１オペアンプと、
前記第１オペアンプの出力端子と当該第１オペアンプの負入力端子に接続される第２抵抗と、
前記第１オペアンプの負入力端子とグランドとを接続する第２ダイオードと、
を備えることを特徴とする電圧クランプ回路。
【請求項２】
前記第１オペアンプの出力端子と当該第１オペアンプの負入力端子との間には、前記第２抵抗と並列に接続される第３ダイオードを備えることを特徴とする請求項１に記載の電圧クランプ回路。
【請求項３】
前記第１オペアンプの出力端子に接続されるものであり、第２オペアンプと第３抵抗と第４ダイオードとを含み、前記第２オペアンプの出力端子から当該第２オペアンプの負入力端子に前記第３抵抗及び前記第４ダイオードで電圧帰還する第１理想ダイオード回路と、
前記第１理想ダイオード回路と直列に接続されるものであり、第３オペアンプと第４抵抗とを含み、前記第３オペアンプの出力から当該第３オペアンプの負入力端子に前記第４抵抗で電圧帰還する増幅回路と、
前記クランプする基準電圧として、前記第１理想ダイオード回路と前記増幅回路に所定の比率でオフセット電圧を印加するオフセット回路と、
を備えることを特徴とした請求項１又は請求項２に記載の電圧クランプ回路。
【請求項４】
前記第１抵抗と前記第２抵抗とは、同一或いは近似の抵抗値であることを特徴とした請求項１乃至請求項３のいずれか一項に記載の電圧クランプ回路。
【請求項５】
前記第１ダイオードと前記第２ダイオードとは、同一或いは近似の特性であることを特徴とした請求項１乃至請求項４のいずれか一項に記載の電圧クランプ回路。 
【請求項６】
前記第１ダイオードと前記第３ダイオード及び前記第２ダイオードのそれぞれと同一、或いは近似の特性であり、前記第１ダイオードと前記第２ダイオード及び前記第３ダイオードのそれぞれに極性が相反する向きで並列接続される３つのダイオードを備えることを特徴とする請求項２乃至請求項５のいずれか一項に記載の電圧クランプ回路。
【請求項７】
前記オフセット回路が直列に接続された前記第１理想ダイオード回路と前記増幅回路に入力するオフセット電圧は、１：１の比率であることを特徴とする請求項３乃至請求項６のいずれか一項に記載の電圧クランプ回路。
【請求項８】
前記第１理想ダイオード回路と前記増幅回路との間に設けられるものであり、前記第１理想ダイオード回路と同一構成の第２理想ダイオード回路を含み、
前記オフセット回路は、前記第１理想ダイオード回路と前記増幅回路と前記第２理想ダイオード回路とに所定の比率でオフセット電圧を印加することを特徴とした請求項３乃至請求項６のいずれか一項に記載の電圧クランプ回路。
【請求項９】
前記オフセット回路が直列に接続された前記第１の理想ダイオード回路と前記第２の理想ダイオード回路と前記増幅回路とに入力するオフセット電圧は、１：３：２の比率であることを特徴とする請求項８に記載の電圧クランプ回路。
【請求項１０】
前記オフセット回路は、基準電圧発生素子と、当該基準電圧発生素子からの出力を分圧する可変抵抗とを含み、前記可変抵抗で分圧した出力を前記オフセット電圧として印加することを特徴とする請求項７又は請求項９に記載の電圧クランプ回路。
【発明の詳細な説明】
【技術分野】
【０００１】
本発明は、入力電圧が所定の電圧より大きい場合に入力電圧を所定の電圧でクランプする電圧クランプ回路に関するものである。
【背景技術】
【０００２】
従来、与えられた入力電圧が所定の電圧より大きい場合に、入力電圧をクランプした出力電圧を出力する電圧クランプ回路として特許文献１に示されるものがあった。
【０００３】
特許文献１に示される電圧クランプ回路は、入力電圧を受け取る入力部と、エミッタ端子の電圧を出力電圧として出力するトランジスタと、一端が入力部に接続され入力電圧が印加され他端がトランジスタのベース端子に電気的に接続されたベース抵抗と、接地電位に対するベース端子の電位を所定の電位以下に制限するクランプ素子と、ベース抵抗の一端とトランジスタのコレクタ端子との間に設けられ、コレクタ端子から入力部に流れる逆電流を防ぐダイオードとを備えるものである。特許文献１に示される電圧クランプ回路は、このようにすることによって、与えられた入力電圧をクランプし、且つ効率よく出力電圧を出力できる。
【特許文献１】特開２００４−１３９４５０号公報
【発明の開示】
【発明が解決しようとする課題】
【０００４】
一方、与えられた入力電圧が所定の電圧より大きい場合に、入力電圧を所定の電圧でクランプした出力電圧を出力する電圧クランプ回路としては、入力電圧を直列接続した抵抗で受け、グランド（ＧＮＤ）に接続されたダイオードにて電圧クランプすることも考えられる。
【０００５】
ところが、このような構成の電圧クランプ回路の場合、抵抗の抵抗値と、ダイオードの抵抗成分の抵抗分圧比によってオン電圧の精度が低下する可能性がある。
【０００６】
本発明は、上記問題点に鑑みなされたものであり、精度良くオン電圧を出力することができる電圧クランプ回路を提供することを目的とする。
【課題を解決するための手段】
【０００７】
上記目的を達成するために請求項１に記載の電圧クランプ回路は、与えられた入力電圧が所定の電圧より大きい場合に、入力電圧を所定の電圧でクランプした出力電圧を出力する電圧クランプ回路であって、入力電圧が入力される入力端子に接続される第１抵抗と、第１抵抗で受けた入力電圧をクランプするものであり、第１抵抗に直列接続されると共にグランドに接続される第１ダイオードと、第１ダイオードにて電圧クランプされた電圧が正入力端子に入力される第１オペアンプと、第１オペアンプの出力端子と第１オペアンプの負入力端子に接続される第２抵抗と、第１オペアンプの負入力端子とグランドとを接続する第２ダイオードとを備えることを特徴とするものである。
【０００８】
このようにすることによって、入力電圧が第１ダイオードの順方向電圧以下において、第１ダイオードを流れる漏れ電流による第１オペアンプの正入力端子への電圧低下（入力電圧＞抵抗通過後の電圧）に対し、第１オペアンプの負入力端子に接続される第２ダイオードの漏れ電流を利用し、第２抵抗と第２ダイオードでも同様の電圧低下を発生させて、第１オペアンプの出力を補正することができる。したがって、第１ダイオードと第１抵抗の抵抗分圧比の影響を抑制でき、精度良くオン電圧を出力することができる。
【０００９】
また、請求項２に示すように、第１オペアンプの出力端子と第１オペアンプの負入力端子との間には、第２抵抗と並列に接続される第３ダイオードを備えるようにしてもよい。
【００１０】
第２抵抗と第２ダイオードによる補正動作は、入力電圧が第１ダイオードの順方向電圧以上の順方向電流に対しても同様に行なわれる。そのため第１オペアンプの正入力端が第１抵抗と第１ダイオードにより第１ダイオードの順方向電圧で電圧クランプされているにもかかわらず第１オペアンプの出力は入力電圧と同等を出力しようとし、第１オペアンプの最大出力（ほぼ電源電圧）まで上昇する。これは第１オペアンプの出力オーバーフローであり第１オペアンプの応答速度を著しく低下させる。そこで、請求項２に示すようにすると好ましい。この第３ダイオードは第１オペアンプの出力電圧が大きくなったときに出力電圧をスルーさせて第１オペアンプの負入力端子に与えることで入力端子への入力電圧が過大であっても第１オペアンプの出力を低く抑える働きをする。これにより第１オペアンプの最大出力電圧は第２ダイオードと第３ダイオードの順方向電圧を加算した電圧となり、この第２ダイオードと第３ダイオードの順方向電圧を加算した電圧がクランプ電圧の上限出力となる。
【００１１】
また、請求項３に示すように、第１オペアンプの出力端子に接続されるものであり、第２オペアンプと第３抵抗と第４ダイオードとを含み、第２オペアンプの出力端子から第２オペアンプの負入力端子に第３抵抗及び第４ダイオードで電圧帰還する第１理想ダイオード回路と、第１理想ダイオード回路と直列に接続されるものであり、第３オペアンプと第４抵抗とを含み、第３オペアンプの出力から第３オペアンプの負入力端子に第４抵抗で電圧帰還する増幅回路と、クランプする基準電圧として、第１理想ダイオード回路と増幅回路に所定の比率でオフセット電圧を印加するオフセット回路とを備えるようにしてもよい。
【００１２】
このようにすることによって、入力信号に対しオフセット回路に入力されたクランプ電圧により電圧クランプされた出力を得ることができる。つまり、クランプ電圧を可変にすることができる。
【００１３】
また、請求項４に示すように、第１抵抗と第２抵抗とは、同一或いは近似の抵抗値であると好ましい。このようにすることによって、第１抵抗と第２抵抗とによる電圧低下を同等することができるので好ましい。
【００１４】
また、請求項５に示すように、第１ダイオードと第２ダイオードとは、同一或いは近似の特性であると好ましい。
【００１５】
このようにすることによって、第１ダイオードと第２ダイオードの抵抗成分による電圧低下を同等することができるので好ましい。
【００１６】
また、請求項６に示すように、第１ダイオードと第３ダイオード及び第２ダイオードのそれぞれと同一、或いは近似の特性であり、第１ダイオードと第２ダイオード及び第３ダイオードのそれぞれに極性が相反する向きで並列接続される３つのダイオードを備えるようにしてもよい。
【００１７】
また、請求項７に示すように、オフセット回路が直列に接続された第１理想ダイオード回路と増幅回路に入力するオフセット電圧は、１：１の比率であると好ましい。
【００１８】
このようにすることによって、出力のオフセット電圧は、入力のオフセットと同等となり入力０Ｖ＝出力０Ｖとなる。
【００１９】
また、請求項８に示すように、第１理想ダイオード回路と増幅回路との間に設けられるものであり、第１理想ダイオード回路と同一構成の第２理想ダイオード回路を含み、オフセット回路は、第１理想ダイオード回路と増幅回路と第２理想ダイオード回路とに所定の比率でオフセット電圧を印加するようにしてもよい。
【００２０】
また、請求項９に示すように、オフセット回路が直列に接続された第１の理想ダイオード回路と第２の理想ダイオード回路と増幅回路とに入力するオフセット電圧は、１：３：２の比率であると好ましい。
【００２１】
このようにすることによって、出力のオフセット電圧は、入力のオフセットと同等となり入力０Ｖ＝出力０Ｖとなる。
【００２２】
また、請求項１０に示すように、オフセット回路は、基準電圧発生素子と、基準電圧発生素子からの出力を分圧する可変抵抗とを含み、可変抵抗で分圧した出力をオフセット電圧として印加するようにしてもよい。
【発明を実施するための最良の形態】
【００２３】
以下、本発明の実施の形態を図に基づいて説明する。
【００２４】
図１は、本発明の実施の形態における電圧クランプ回路の概略構成を示す回路図である。図２は、本発明の実施の形態における電圧クランプ回路の入力信号（電圧）Ｖｉｎと、出力信号（電圧）Ｖｏｕｔを比較する波形図である。
【００２５】
なお、本実施の形態における電圧クランプ回路は、図１４に示すように、パワーＭＯＳＦＥＴの出力特性をオシロスコープで観察する際に適用して好適なものである。つまり、パワーＭＯＳＦＥＴが０Ｖから数十Ｖ以上、ＤＣ〜数ＭＨｚ以上でパルス動作した時のオン電圧（以下、ＯＮ電圧とも称する）や波形を１００ｍＶ以下の低電圧でクランプする回路である。図１４は、パワーＭＯＳＦＥＴの出力特性の測定に電圧クランプ回路を適用した場合の概略構成を示す回路図である。図１３（ａ）は本発明の実施の形態における電圧クランプ回路を適用した場合のパワーＭＯＳＦＥＴの出力特性を示す波形図であり、（ｂ）は（ａ）の部分拡大図である。つまり、図１３（ａ）（ｂ）は、図１４におけるパワーＭＯＳＦＥＴをスイッチング動作させた時のスイッチング電圧波形を図１の電圧クランプ回路に入力し、電圧クランプ回路の出力をオシロスコープで観察した時の波形を示す。（ａ）、（ｂ）ともＶｉｎがパワーＭＯＳＦＥＴのスイッチング波形、すなわちクランプ回路の入力波形であり、Ｖｏｕｔがクランプ回路の出力波形である。（ｂ）は、（ａ）の波形の時間軸を拡大し、パワーＭＯＳＦＥＴがオンした瞬間を観察したものである。
【００２６】
まず、このパワーＭＯＳＦＥＴの出力特性の測定に電圧クランプ回路を適用した場合に関して説明する。図１４において、８０１はパワーＭＯＳＦＥＴ、８０２は負荷抵抗で、負荷抵抗８０２の一端は電源電圧Ｖｃｃに他端はパワーＭＯＳＦＥＴ８０１のドレインＤに接続され、パワーＭＯＳＦＥＴ８０１のソースＳは接地されている。この状態で、パワーＭＯＳＦＥＴ８０１のゲートＧにパルス状の電圧を与えると、パワーＭＯＳＦＥＴ８０１のドレイン―ソース間がオンし、Ｖｃｃ、負荷抵抗８０２に電流Ｉｄが流れる。
【００２７】
この時のパワーＭＯＳＦＥＴ８０１のドレイン―ソース間オン電圧Ｖｏｎは、パワーＭＯＳＦＥＴ８０１のオン抵抗Ｒｏｎ、通電電流ＩｄからＶｏｎ＝Ｒｏｎ×Ｉｄとして決定される。
【００２８】
パワーＭＯＳＦＥＴを使った通電制御は、パワーＭＯＳＦＥＴのスイッチング速度の向上、オン抵抗の低減により、より高効率とすることができ、パワーＭＯＳＦＥＴのスイッチング時の波形を正確に把握することは、システムの効率の把握や、パワーＭＯＳＦＥＴの性能の把握の上で重要であるが、パワーＭＯＳＦＥＴのスイッチング時の波形の観察は通常オシロスコープを使用して観察される。
【００２９】
図１４に示す回路において、Ｖｃｃは通常数Ｖあるいは数１０Ｖ以上であるが、パワーＭＯＳＦＥＴのオン電圧は数１０ｍｖである。図１４に示す回路において、パワーＭＯＳＦＥＴ８０１をパルス的に駆動した場合には、パワーＭＯＳＦＥＴ８０１がオフの時はＶｃｃ（通常数Ｖあるいは数１０Ｖ以上）、オンの時はＶｏｎ（数１０ｍｖ）となる。
【００３０】
オシロスコープで数１０ｍｖのＶｏｎを測定しようとすると、オシロスコープの縦軸レンジを１０ｍｖ／ｄｉｖ乃至５０ｍｖ／ｄｉｖに設定して観察する必要がある。しかし、この時、パワーＭＯＳＦＥＴ８０１がオフ時の電圧は数Ｖあるいは数１０Ｖ以上であり、オシロスコープがレンジオーバーとなるため、パワーＭＯＳＦＥＴ８０１がオンした時にオシロスコープの応答が追従できず、オフセットがズレたり、オーバーシュート、アンダーシュートした波形として観察され、正しいＶｏｎの測定が出来ない。
【００３１】
本実施の形態における電圧クランプ回路は、このようなスイッチング波形の観察に不要な数１０ｍｖ以上の電圧成分をクランプすることで、オン電圧Ｖｏｎの正しい測定を可能とするものである。
【００３２】
電圧クランプ回路は、図１に示すように、１次クランプ回路１００、２次クランプ回路２００、オフセット回路３００を備えるものである。２次クランプ回路２００は、理想ダイオード回路４００、増幅回路５００がバッファ２１０で接続される。また、オフセット回路３００は、クランプ電圧入力端子３からの入力電圧により理想ダイオード回路４００、増幅回路５００のそれぞれに一定比率でオフセット電圧を与える回路構成となっている。なお、１次クランプ回路１００、２次クランプ回路２００とオフセット回路３００に関しては、後ほど詳しく説明する。
【００３３】
電圧クランプ回路は、信号入力端子１（以下、入力端子とも称する）に入力信号（電圧）が入力され、１次クランプ回路１００を通過した後、２次クランプ回路２００を経由して出力端子２より出力される。そして、電圧クランプ回路のクランプ電圧は、オフセット回路３００のクランプ電圧入力端子３に入力する電圧に相当する。
【００３４】
この電圧クランプ回路における入力端子１より与えられた入力信号（電圧）は、まず１次クランプ回路１００により本回路の動作電圧範囲内の電圧（数百ｍＶ〜数Ｖ程度）でクランプされる。次に、２次クランプ回路２００において理想ダイオード回路４００がオフセット回路３００から入力された電圧をオフセットとして入力信号（電圧）の電圧クランプを行い、増幅回路５００が理想ダイオード回路４００のオフセットのズレを復元して出力する。
【００３５】
オフセット回路３００は、２次クランプ回路２００の動作においてクランプ電圧入力端子３に入力されたクランプ電圧により理想ダイオード回路４００、増幅回路５００にクランプ電圧相当に最適なオフセット電圧をそれぞれ与える役割を担う。
【００３６】
よって、図１に示す電圧クランプ回路の入力端子１に入力された入力信号（電圧）は、クランプ電圧入力端子３に入力されたクランプ電圧に従って電圧クランプされ出力されることとなる。
【００３７】
ここで、クランプ電圧入力端子３に入力されたクランプ電圧を変えれば、図１に示す電圧クランプ回路のクランプ電圧も変化する。図２に、図１に示した電圧クランプ回路の入力信号（電圧）Ｖｉｎと、出力信号（電圧）Ｖｏｕｔの波形比較の一例を示す。図２においてＶｉｎ０、Ｖｏｕｔ０は入力信号（電圧）Ｖｉｎ、出力信号（電圧）Ｖｏｕｔそれぞれの電圧０Ｖのレベルを示し、Ｖｃは本出力波形のクランプ電圧を示す。図２において入力信号（電圧）Ｖｉｎはクランプ電圧Ｖｃで電圧クランプされ出力信号（電圧）Ｖｏｕｔとして出力されている。
【００３８】
ここで、１次クランプ回路１００に関して詳しく説明する。図３は、本実施の形態における１次クランプ回路１００の概略構成を示す回路図である。図４は、本発明の実施の形態における１次クランプ回路１００の出力特性を示す波形図である。
【００３９】
図３に示すように、１次クランプ回路１００は、入力電圧が入力される入力端子１に接続される第１抵抗１０２と、第１抵抗１０２で受けた入力電圧をクランプするものであり、第１抵抗１０２に直列接続されると共にグランド（以下、ＧＮＤとも称する）に接続される第１ダイオード１０４と、第１ダイオード１０４にて電圧クランプされた電圧が正入力端子に入力される第１オペアンプ１０１と、第１オペアンプ１０１の出力端子と第１オペアンプ１０１の負入力端子に接続される第２抵抗１０３と、第２抵抗１０３と並列に接続される第３ダイオード１０６と、第１オペアンプ１０１の負入力端子とグランドとを接続する第２ダイオード１０５とを備える。
【００４０】
つまり、入力端子１から入力された入力電圧は、第１抵抗１０２で受け、第１ダイオード１０４のアノードＡに接続された後、第１オペアンプ１０１の正入力端子（＋入力）に入力する。第１ダイオード１０４のカソードＫはＧＮＤに接続される。
【００４１】
また、第１オペアンプ１０１の出力ＯＵＴは、第２抵抗１０３と第３ダイオード１０６のアノードＡに接続され、その第２抵抗１０３と第３ダイオード１０６を通して第１オペアンプ１０１の負入力端子（−入力）に接続されて、第１オペアンプ１０１の負帰還回路が構成される。
【００４２】
また、第１オペアンプ１０１の負入力端子（−入力）は第２ダイオード１０５のアノードＡにも接続され、第２ダイオード１０５のカソードＫはＧＮＤに接続される。
【００４３】
このとき、第１抵抗１０２と第２抵抗１０３、及び第１ダイオード１０４と第２ダイオード１０５は同一の型式、値、特性を用いることが好ましい。
【００４４】
この１次クランプ回路１００においては、入力端子１から入力された入力電圧（パルス信号など）は、まず第１抵抗１０２と第１ダイオード１０４の作用により第１ダイオード１０４の順方向電圧（Ｖｆ）より高い電圧がカット（Ｖｆの電圧でクランプ）され第１オペアンプ１０１の正入力端子に入力される。第１オペアンプ１０１は、その入力に対しオペアンプの動作であるイマージナリショート（仮想ショート）を負帰還回路の第２抵抗１０３と第３ダイオード１０６、及び第２ダイオード１０５の作用を含めて行ない、相当の電圧を出力する。
【００４５】
ここで上記作用において入力電圧は、第１抵抗１０２と第１ダイオード１０４により第１ダイオード１０４の順方向電圧（Ｖｆ)でクランプされるものの、実際には第１ダイオード１０４の漏れ電流Ｉ１により、Ｖｆ以下の電圧（クランプされる電圧以下）においても第１抵抗１０２通過後の電圧よりも大きくなり必ずしも一致しない。
【００４６】
そのため、１次クランプ回路１００は、入力電圧が第１ダイオード１０４のＶｆ以下において、第１ダイオード１０４を流れる漏れ電流Ｉ１による第１オペアンプ１０１の正入力端子への電圧低下（入力電圧＞第１抵抗１０２通過後の電圧）に対し、第１オペアンプ１０１の負帰還回路の第２ダイオード１０５の漏れ電流Ｉｆ１を利用し、第２抵抗１０３と第２ダイオード１０５でも同様の電圧低下を発生させることでオペアンプ１０１の出力を補正する。
【００４７】
このとき、第１抵抗１０２、第１ダイオード１０４の特性と第２抵抗１０３、第２ダイオード１０５の特性が同等であれば、オペアンプ１０１の正入力端子の電圧低下分と負入力端子の電圧低下分が同一となる。この結果、入力端子１から入力された入力電圧は、第１オペアンプ１０１の出力端子ＯＵＴから出力された電圧と一致することになる。
【００４８】
ただし、この補正動作は入力電圧が第１ダイオード１０４のＶｆ以上の順方向電流に対しても同様に行なわれる。そのため第１オペアンプ１０１の正入力端子が第１抵抗１０２と第１ダイオード１０４により第１ダイオード１０４のＶｆで電圧クランプされているにもかかわらず第１オペアンプ１０１の出力は入力電圧と同等を出力しようとし、第１オペアンプ１０１の最大出力（ほぼ電源電圧）まで上昇する。これは、第１オペアンプ１０１の出力オーバーフローであり、第１オペアンプ１０１の応答速度を著しく低下させる。
【００４９】
そのため、１次クランプ回路１００は、第２抵抗１０３の負帰還に第３ダイオード１０６を第２抵抗１０３と並列に入れている。この第３ダイオード１０６は、第１オペアンプ１０１の出力電圧が大きくなったときに出力電圧をスルーさせて第１オペアンプ１０１の負入力端子に与えることで入力端子１への入力電圧が過大であっても第１オペアンプ１０１の出力を低く抑える働きをする。これにより第１オペアンプ１０１の最大出力電圧は、第２ダイオード１０５と第３ダイオード１０６のＶｆを加算した電圧（１Ｖ前後）となり、この第２ダイオード１０５と第３ダイオード１０６のＶｆを加算した電圧が１次クランプ回路１００におけるクランプ電圧の上限出力となる。
【００５０】
図４において、Ｖ１ｉｎは１次クランプ回路１００の入力信号、Ｖ１ｏｕｔは１次クランプ回路１００の出力信号を表し、Ｖｉｎ０、Ｖｏｕｔ０はそれぞれの電圧０Ｖを表している。またＶｆ１は第１ダイオード１０４のＶｆ（前述の説明で第２ダイオード１０５のＶｆと同等）の電圧、Ｖｆ２は第３ダイオード１０６のＶｆの電圧と相当の電圧範囲を示す。
【００５１】
この図４に示すように、１次クランプ回路１００は、入力電圧Ｖ１ｉｎに対し第１ダイオード１０４のＶｆまでの電圧付近（０Ｖ〜Ｖｆ位）の間は第１ダイオード１０４の漏れ電流分を補正した入力電圧Ｖ１ｉｎと一致した電圧を出力し、第１ダイオード１０４のＶｆを超える電圧が入力された場合は上限を第１ダイオード１０４と第３ダイオード１０６のＶｆを加算した電圧最大とする電圧クランプ動作をする。
【００５２】
この結果、１次クランプ回路１００は、第１抵抗１０２と第１ダイオード１０４によるクランプ電圧以下の範囲においては出力電圧が入力電圧と高い精度で一致する。また、入力電圧が第１オペアンプ１０１の電源電圧を越える場合においても第１抵抗１０２と第１ダイオード１０４により電圧クランプされた電圧（第１ダイオード１０４のＶｆ程度）が第１オペアンプ１０１の正入力端子に加わるだけであり第１オペアンプ１０１の許容入力電圧を超える数十Ｖ以上の高電圧パルスに対しても電圧クランプができる。さらに、電圧クランプされた出力は、第１ダイオード１０４のＶｆ位まで（０Ｖ〜Ｖｆ）の間で入力電圧に対し一致し精度が高い。第１オペアンプ１０１の出力も上限として第１ダイオード１０４と第３ダイオード１０６のＶｆを加算した電圧で制限され高速応答が可能であるという効果を有する。また、第１ダイオード１０４と第２ダイオード１０５、第３ダイオード１０６の静電容量（Ｃｐ）はできるだけ小さいものを使用することが望ましい。Ｃｐが小さければ、第１抵抗１０２や第２抵抗１０３との時定数も小さくなり波形の遅れもなく、より高速な応答での電圧クランプができる。
【００５３】
以上のことから１次クランプ回路１００によれば、数十Ｖ以上、且つ数ＭＨｚ以上の高速な信号パルスにおいても低電圧、且つ高精度な電圧クランプを行うことができる。したがって、パワーＭＯＳＦＥＴが０Ｖから数十Ｖ以上、ＤＣ〜数ＭＨｚ以上でパルス動作した時であっても、オン電圧Ｖｏｎの正しい測定を可能とするものである。
【００５４】
なお、本実施の形態においては、電圧クランプ回路として、１次クランプ回路１００、２次クランプ回路２００、オフセット回路３００を備える例を採用して説明するが、本発明はこれに限定されるものではない。上述の１次クランプ回路１００のみを電圧クランプ回路として採用することによっても、本発明の目的は達成できるものである。したがって、１次クランプ回路１００のみを電圧クランプ回路に採用した場合、電圧クランプ回路の出力端子は、１次クランプ回路出力端子４となる。
【００５５】
また、第１ダイオード１０４と第２ダイオード１０５、第３ダイオード１０６を一般的なダイオードで説明したが、ツェナーダイオード（ツェナーダイオードの場合はアノード、カソードを逆に接続）のツェナー電圧でのクランプでも同様の効果を得ることができる。その場合、第１ダイオード１０４と第２ダイオード１０５、第３ダイオード１０６の全てをツェナーダイオードとする、或いは第１ダイオード１０４と第２ダイオード１０５をツェナーダイオードとし第３ダイオード１０６を一般的なダイオードで構成しても良い。
【００５６】
また、１次クランプ回路１００の変形例として、第１ダイオード１０４と第２ダイオード１０５、第３ダイオード１０６をそれぞれ対向した向きに並列接続（極性が相反する向きで並列接続）したダイオードペアで構成するようにしてもよい。つまり、第１ダイオード１０４と第２ダイオード１０５と第３ダイオード１０６のそれぞれに対して、対向した向きに並列接続した３つのダイオード１０７〜１０９を設けるようにしてもよい。換言すると、上述の１次クランプ回路１００の第１ダイオード１０４、第２ダイオード１０５、第３ダイオード１０６のそれぞれの箇所が、極性が相反する向きで並列接続された２個のダイオードペアで置き換えた構成である。図５に、この１次クランプ回路１００の変形例の概略構成を示す回路図を示す。
【００５７】
図５に示す変形例における１次クランプ回路１５０においては、入力電圧は第１抵抗１０２で受けられ第１ダイオード１０４のアノードＡ、ダイオード１０７（第１ダイオード１０４のペア）のカソードＫに接続された後、第１オペアンプ１０１の正入力端子に入力する。ここで、第１ダイオード１０４のカソードＫ、ダイオード１０７のアノードＡはＧＮＤに接続される。
【００５８】
オペアンプ１０１の出力端子ＯＵＴは、第２抵抗１０３と第３ダイオード１０６のアノードＡ、ダイオード１０９（第３ダイオードのペア）に接続され、その第２抵抗１０３と第３ダイオード１０６、ダイオード１０９を通して第１オペアンプ１０１の負入力端子に接続され第１オペアンプ１０１の負帰還回路が構成される。また、第１オペアンプ１０１の負入力端子は第２ダイオード１０５のアノードＡ、ダイオード１０８（第２ダイオードのペア）のカソードＫにも接続され第２ダイオード１０５、ダイオード１０８を通してＧＮＤに接続される。
【００５９】
このとき第１抵抗１０２と第２抵抗１０３、及び第１ダイオード１０４と第２ダイオード１０５、さらにダイオード１０７とダイオード１０８は、上述の１次クランプ回路１００と同様に同一の型式、同一の値、特性のものを用いることが好ましい。
【００６０】
この場合においても、この１次クランプ回路１００の変形例（１次クランプ回路１５０）のみを電圧クランプ回路として採用することで本発明の目的は達成できるものである。したがって、１次クランプ回路の変形例のみを電圧クランプ回路に採用した場合、電圧クランプ回路の出力端子は、１次クランプ回路出力端子４となる。
【００６１】
以上、上述の構成において入力電圧が＋入力（０Ｖ以上）の場合においては、第１抵抗１０２、第１ダイオード１０４、第１オペアンプ１０１と、第２抵抗１０３、第３ダイオード１０６、第２ダイオード１０５により、図４の１次クランプ回路１００と同様の作用、動作を行ない、第１ダイオード１０４の漏れ電流I１に対し第２抵抗１０３、第２ダイオード１０５の補正電流Ｉｆ１により、第１ダイオード１０４のＶｆまでの入力電圧の補正とそれ以上での電圧クランプを行なう。
【００６２】
また、入力電圧が−入力（０Ｖ以下）の場合においては、第１抵抗１０２、ダイオード１０７、第１オペアンプ１０１、第２抵抗１０３、ダイオード１０９、ダイオード１０８が入力電圧のマイナス電圧に対し同様の作用、動作を行い、ダイオード１０７の漏れ電流Ｉ２に対し補正電流Ｉｆ２によりダイオード１０７の−Ｖｆまでの入力電圧の補正とそれ以下での電圧クランプを行なう。
【００６３】
なお、図６は、本発明の実施の形態における１次クランプ回路１００の変形例の出力特性を示す波形図である。図６（ａ）は正電圧信号入力時（＋Ｖｉｎ）の電圧クランプ出力の比較を示し、（ｂ）は負電圧信号入力時（−Ｖｉｎ）の電圧クランプ出力の比較を示す。
【００６４】
この作用、動作により図５に示す１次クランプ回路１００の変形例は、プラスマイナスの入力電圧に対し入力電圧が第１ダイオード１０４、ダイオード１０７の±Ｖｆ以下の間は入力電圧と同一の電圧を出力し、ダイオードの±Ｖｆを超える場合においては第１ダイオード１０４、ダイオード１０７の±２Ｖｆを上限とするクランプ電圧を出力することになる。
【００６５】
その結果、図５に示す１次クランプ回路１００の変形例は、入力電圧が第１オペアンプ１０１の電源電圧を越える±数十Ｖ以上の高電圧パルスに対しても電圧クランプができる。また、クランプされた出力はダイオードの±Ｖｆの範囲で入力電圧に対し一致し精度が高い。さらには、第１オペアンプ１０１の出力電圧範囲に対し十分低いレンジ（オペアンプ出力がオーバーフローとならない範囲）で動作させることができ、高速応答が可能であるという効果を有する。
【００６６】
ここでも、図３に示す１次クランプ回路１００と同様に、それぞれのダイオードの静電容量（Ｃｐ）は小さいのが望ましく、Ｃｐによる信号の遅れも小さくなり、より高速な応答でのプラス側、マイナス側の電圧クランプができる。
【００６７】
これにより、図５に示す１次クランプ回路１００の変形例おいても数十Ｖ以上、且つ数ＭＨｚ以上の高速なプラスマイナス信号パルスを高い精度で、且つ低い電圧での電圧クランプし出力する高性能を得ることができる。
【００６８】
したがって、１次クランプ回路１００の変形例においても、数十Ｖ以上、且つ数ＭＨｚ以上の高速な信号パルスにおいても低電圧、且つ高精度な電圧クランプを行うことができる。よって、パワーＭＯＳＦＥＴが０Ｖから数十Ｖ以上、ＤＣ〜数ＭＨｚ以上でパルス動作した時であっても、オン電圧Ｖｏｎの正しい測定を可能とするものである。
【００６９】
次に、２次クランプ回路２００に関して詳しく説明する。図７は、本発明の実施の形態における２次クランプ回路２００の概略構成を示す回路図を示す。図８は、本発明の実施の形態における２次クランプ回路２００の入力信号（電圧）Ｖ２ｉｎと、出力信号（電圧）Ｖ２ｏｕｔを比較する波形図である。
【００７０】
２次クランプ回路２００は、バッファ２１０を介して直列に接続された理想ダイオード回路４００と増幅回路５００とを含む。この２次クランプ回路２００は、１次クランプ回路出力端子４と２次クランプ回路入力端子５とを介して１次クランプ回路１００と直列に接続される。そして、２次クランプ回路２００に入力された信号は、理想ダイオード回路４００に入力され、理想ダイオード回路４００、バッファ２１０、増幅回路５００を経由して出力される。また、クランプ電圧入力端子３よりオフセット回路３００に入力されたクランプ電圧は、アンプ３０１とアンプ３０２により所定の比率で増幅された後に、理想ダイオード回路４００、増幅回路５００のそれぞれのオフセット電圧として出力され与えられる。ここで、オフセット回路３００におけるアンプ３０１とアンプ３０２の増幅率は双方とも１：１とする。
【００７１】
２次クランプ回路２００における理想ダイオード回路４００は、抵抗４０２に入力された電圧に対し、第２オペアンプ４０１の＋入力端子の電圧を基準として理想的なダイオードとして第４ダイオード４０４のカソードＫ側に電圧を出力する。ここで、本回路の理想ダイオード回路４００は、反転型の負の特性を持つ理想ダイオード回路である。このため理想ダイオード回路４００は、第２オペアンプ４０１の＋入力端子の電圧Ｖ２ｃを基準として入力電圧＜Ｖ２ｃの場合は入力電圧相当の電圧を、入力電圧＞Ｖ２ｃ場合は電圧Ｖ２ｃ相当の電圧を出力する。ただし、理想ダイオード回路４００は、反転型の負の特性を持つ理想ダイオード回路のため、入力が正の電圧の場合はプラスマイナスが反転し負の電圧として出力される。また、理想ダイオード回路４００の出力は、＋入力端子の電圧Ｖ２ｃの電圧だけオフセットされた状態で出力されることとなる。増幅回路５００は、オペアンプの反転増幅回路で、前記反転した負の電圧出力を正の電圧に戻すとともに＋入力端子の電圧Ｖ２ｃの電圧分のオフセットを元に戻す働きをする（クランプ電圧可変）。なお、バッファ２１０は、理想ダイオード回路４００の出力インピーダンスを低くし増幅回路５００と接続するために用いるもので増幅率は１倍である。
【００７２】
以上の結果、２次クランプ回路２００によれば、入力信号に対しオフセット回路３００に入力されたクランプ電圧により電圧クランプされた出力を得ることが出来る。つまり、クランプ電圧の設定変更（０〜数百ｍＶ）を可能とすることができる。
【００７３】
ここで、第２オペアンプ４０１、バッファ２１０、第３オペアンプ５０１に高速で動作するものを使用し、且つ第４ダイオード４０４とダイオード４０５の静電容量（Ｃｐ）は小さいほど望ましい。Ｃｐが小さければ第３抵抗４０３と第４ダイオード４０４、ダイオード４０５による時定数も小さくなり波形の遅れもなくより高速な応答での電圧クランプができる。
【００７４】
また、２次クランプ回路２００の変形例（２次クランプ回路２５０）として、１次クランプ回路１００と理想ダイオード回路４００との間に、理想ダイオード回路４００と同一構成の理想ダイオード回路６００とバッファ２２０を設け、さらに、理想ダイオード回路６００用のアンプ３０３を設けるようにしてもよい。図９は、本発明の実施の形態における２次クランプ回路２００の変形例の概略構成を示す回路図を示す。図１０は、本発明の実施の形態における２次クランプ回路２００の変形例の出力特性を示す波形図であり、（ａ）は正電圧信号入力時（＋Ｖ２ｉｎ）の電圧クランプ出力の比較を示し、（ｂ）は負電圧信号入力時（−Ｖ２ｉｎ）の電圧クランプ出力の比較を示す。
【００７５】
この２次クランプ回路に入力された信号は、オペアンプの理想ダイオード回路６００に入力され、その理想ダイオード回路６００、バッファ２２０、理想ダイオード回路４００、バッファ２１０、増幅回路５００を経由して出力される。
【００７６】
また、クランプ電圧入力端子３よりオフセット回路３００に入力されたクランプ電圧は、アンプ３０３、アンプ３０１、アンプ３０２により所定の比率で増幅された後に、理想ダイオード回路６００、理想ダイオード回路４００、増幅回路５００のそれぞれのオフセット電圧として出力され与えられる。ここで、図９に示す２次クランプ回路２５０におけるオフセット回路３００のアンプ３０３、アンプ３０１、アンプ３０２の増幅率はそれぞれ１：３：２の比率とする。
【００７７】
２次クランプ回路２５０において、理想ダイオード回路６００は上述（図７の理想ダイオード回路４００）と同様に正（プラス）側電圧のクランプを行なう、次に理想ダイオード回路４００は負（マイナス）側電圧のクランプを行い、増幅回路５００で前記理想ダイオード回路６００、理想ダイオード回路４００によりズレたオフセットを元に戻す働きをする。
【００７８】
ここで２次クランプ回路２５０は、入力信号が理想ダイオード回路６００、理想ダイオード回路４００、増幅回路５００のそれぞれで反転されるため、出力はクランプされた信号が反転されて出力される。また、この時に理想ダイオード回路６００、理想ダイオード回路４００、増幅回路５００に加えるオフセット電圧を１：３：２の比率とすることで出力のオフセット電圧は入力のオフセットと同等となり入力０Ｖ＝出力０Ｖとなる。
【００７９】
以上の結果、２次クランプ回路２５０においては、入力電圧に対し正、負電圧（プラスマイナス電圧）でのクランプ、つまり「クランプ電圧入力端子３の電圧＞出力＞マイナスのクランプ電圧入力端子３の電圧」の範囲でクランプ電圧の出力を得ることができるという効果をえることができる。
【００８０】
また、本実施例においてもオペアンプ６０１、バッファ２２０、第２オペアンプ４０１、バッファ２１０、第３オペアンプ５０１に高速で動作するものを使用し、且つダイオード６０４とダイオード６０５、第４ダイオード４０４とダイオード４０５の静電容量（Ｃｐ）がは小さいほど望ましい。抵抗６０３とダイオード６０４、ダイオード６０５および第３抵抗４０３と第４ダイオード４０４、ダイオード４０５による時定数も小さくなり波形の遅れもなくより高速な応答での電圧クランプができる。
【００８１】
以上ように、１次クランプ回路１００により数十Ｖ以上の高電圧信号に対しても低電圧でのクランプ（例えば１００ｍＶ以下）することが可能となる。また、２次クランプ回路２００によりクランプ電圧の入力によりクランプ電圧の可変（クランプ電圧の設定変更（０〜数百ｍＶ））もおこなうことができる効果があり。さらに、電圧クランプにおいて数百ｍＶ以下の比較的低電圧の電圧クランプに対し高精度、且つ高速におこなうことができる。したがって、パワーＭＯＳＦＥＴのスイッチング時におけるｍＶオーダーのＯＮ電圧や立下り／立上り波形の観測などに適用することによって、高速／高精度に観測を行うようにすることができる。
【００８２】
次に、電圧クランプ回路の変形例として、上述の図５に示した１次クランプ回路と図９に示した２次クランプ回路とを組み合わせた電圧クランプ回路とすることもできる。図１１は、本発明の実施の形態における電圧クランプ回路の変形例の概略構成を示す回路図である。図１２は、本発明の実施の形態における電圧クランプ回路の変形例の出力特性を示す波形図であり、（ａ）は正電圧信号入力時（＋Ｖｉｎ）の電圧クランプ出力の比較を示し、（ｂ）は負電圧信号入力時（−Ｖｉｎ）の電圧クランプ出力の比較を示す。
【００８３】
図１１に示すように、変形例における電圧クランプ回路は、１次クランプ回路１５０と理想ダイオード回路６００，４００、オフセット回路３００、反転増幅回路５００で構成される２次クランプ回路２５０にさらに，反転増幅回路７００加えた構成となっている。
【００８４】
本構成において入力端子１に入力された入力信号は、上述と同様に１次クランプ回路１５０の動作によりダイオードのＶｆ×２程度の電圧にクランプされる。このとき、１次クランプ回路１５０の出力はダイオードの漏れ電流に対しＶｆ＞出力の範囲で電圧補償を行い高い精度で入力信号を再現する。次に、１次クランプ回路１５０でダイオードのＶｆ×２程度の電圧にクランプされた信号は２次クランプ回路２５０に入力され上述と同様にオフセット回路３００に入力されたクランプ電圧により出力される。
【００８５】
ここで、反転増幅回路７００は、前記２次クランプ回路２５０の出力は前述図１０での説明のように正、負電圧が反転された信号のため、元の波形の状態に戻す働きを行なう。
【００８６】
以上ように、図１１に示す電圧クランプ回路によれば、１次クランプ回路１５０により数十Ｖ以上の高電圧信号に対しても低電圧でのクランプ（例えば１００ｍＶ以下）することが可能となる。また、２次クランプ回路２５０によりクランプ電圧の入力によりクランプ電圧の可変（クランプ電圧の設定変更（０〜数百ｍＶ））もおこなうことができる効果があり。さらに、電圧クランプにおいて数百ｍＶ以下の比較的低電圧の電圧クランプに対し高精度、且つ高速におこなうことができる。したがって、パワーＭＯＳＦＥＴのスイッチング時におけるｍＶオーダーのＯＮ電圧や立下り／立上り波形の観測などに適用することによって、高速／高精度に観測を行うようにすることができる。
【図面の簡単な説明】
【００８７】
【図１】本発明の実施の形態における電圧クランプ回路の概略構成を示す回路図である。
【図２】本発明の実施の形態における電圧クランプ回路の入力信号（電圧）Ｖｉｎと、出力信号（電圧）Ｖｏｕｔを比較する波形図である。
【図３】本発明の実施の形態における１次クランプ回路１００の概略構成を示す回路図を示す。
【図４】本発明の実施の形態における１次クランプ回路１００の出力特性を示す波形図である。
【図５】本発明の実施の形態における１次クランプ回路１００の変形例の概略構成を示す回路図を示す。
【図６】本発明の実施の形態における１次クランプ回路１００の変形例の出力特性を示す波形図であり、（ａ）は正電圧信号入力時（＋Ｖｉｎ）の電圧クランプ出力の比較を示し、（ｂ）は負電圧信号入力時（−Ｖｉｎ）の電圧クランプ出力の比較を示す。
【図７】本発明の実施の形態における２次クランプ回路２００の概略構成を示す回路図を示す。
【図８】本発明の実施の形態における２次クランプ回路２００の入力信号（電圧）Ｖ２ｉｎと、出力信号（電圧）Ｖ２ｏｕｔを比較する波形図である。
【図９】本発明の実施の形態における２次クランプ回路２００の変形例の概略構成を示す回路図を示す。
【図１０】本発明の実施の形態における２次クランプ回路２００の変形例の出力特性を示す波形図であり、（ａ）は正電圧信号入力時（＋Ｖ２ｉｎ）の電圧クランプ出力の比較を示し、（ｂ）は負電圧信号入力時（−Ｖ２ｉｎ）の電圧クランプ出力の比較を示す。
【図１１】本発明の実施の形態における電圧クランプ回路の変形例の概略構成を示す回路図である。
【図１２】本発明の実施の形態における電圧クランプ回路の変形例の出力特性を示す波形図であり、（ａ）は正電圧信号入力時（＋Ｖｉｎ）の電圧クランプ出力の比較を示し、（ｂ）は負電圧信号入力時（−Ｖｉｎ）の電圧クランプ出力の比較を示す。
【図１３】（ａ）は本発明の実施の形態における電圧クランプ回路の変形例を適用した場合のパワーＭＯＳＦＥＴの出力特性を示す波形図であり、（ｂ）は（ａ）の部分拡大図である。
【図１４】パワーＭＯＳＦＥＴの出力特性の測定に電圧クランプ回路を適用した場合の概略構成を示す回路図である。
【符号の説明】
【００８８】
１  信号入力端子、２  出力端子、３  クランプ電圧入力端子、４  １次クランプ回路出力端子、５  ２次クランプ回路入力端子、１００  １次クランプ回路、１０１  第１オペアンプ、１０２  第１抵抗、１０３  第２抵抗、１０４  第１ダイオード、１０５  第２ダイオード、１０６  第３ダイオード、１０７〜１０９  ダイオード、２００  ２次クランプ回路、２１０  バッファ、３００  オフセット回路、３０１  アンプ、３０２  アンプ、４００  理想ダイオード回路、４０１  第２オペアンプ、４０２  抵抗、４０３  第３抵抗、４０４  第４ダイオード、４０５  ダイオード、５００  増幅回路、５０１  第３オペアンプ、５０２  抵抗、５０３  第４抵抗、８０１  パワーＭＯＳＦＥＴ、８０２  負荷抵抗
【図１】
0004894805.tif 000002
【図２】
0004894805.tif 000003
【図３】
0004894805.tif 000004
【図４】
0004894805.tif 000005
【図５】
0004894805.tif 000006
【図６】
0004894805.tif 000007
【図７】
0004894805.tif 000008
【図８】
0004894805.tif 000009
【図９】
0004894805.tif 000010
【図１０】
0004894805.tif 000011
【図１１】
0004894805.tif 000012
【図１２】
0004894805.tif 000013
【図１３】
0004894805.tif 000014
【図１４】
0004894805.tif 000015